(57)【要約】【課題】除塵性能に優れた電気掃除機を提供する。【解決手段】塵埃を吸引するための電動送風機１と、その吸込み側に配され吸込風を濾過して塵を捕捉するフィルタ２と、前記電動送風機１の入力設定を行う設定手段３と、その設定手段３からの信号で前記電動送風機１の入力を制御する制御手段４と、前記電動送風機１の入力を設定するための操作を行う操作手段５と、その操作手段５の動作を前記設定手段３に伝達する操作伝達手段６とを備え、前記フィルタ２と操作伝達手段６を圧接気味に配置する構成としたもので、操作伝達手段６の動作時、すなわち入力設定変更の都度、フィルタ２に振動を与えて除塵動作を行うことができる。【選択図】図１
2012105844.tif 000002
【特許請求の範囲】
【請求項１】
塵埃を吸引するための電動送風機と、その吸込み側に配され吸込風を濾過して塵を捕捉するフィルタと、前記電動送風機の入力設定を行う設定手段と、その設定手段からの信号で前記電動送風機の入力を制御する制御手段と、前記電動送風機の入力を設定するための操作を行う操作手段と、その操作手段の動作を前記設定手段に伝達する操作伝達手段とを備え、前記フィルタと操作伝達手段を圧接気味に配置する構成とした電気掃除機。
【請求項２】
設定手段として、摺動部を有する可変抵抗器を用い、操作伝達手段に設けたピン形状の一端を前記摺動部に連結することにより、操作手段の動きに連動して電動送風機の入力を設定するようにした請求項１に記載の電気掃除機。
【請求項３】
操作手段を、突起部と指で操作するツマミ部とで構成し、操作伝達手段は、複数の羽根を捩りその中央部に前記突起部を誘導するスピンドル形状とした請求項１または２に記載の電気掃除機。
【請求項４】
操作伝達手段を、回転させた場合の断面が多角形となるように形成した請求項１〜３のいずれか１項に記載の電気掃除機。
【請求項５】
羽根の複数の箇所の山頂部をカットして、回転させた場合の断面が多角形となるように操作伝達手段を形成した請求項４に記載の電気掃除機。
【発明の詳細な説明】
【技術分野】
【０００１】
本発明は、電気掃除機に関するもので、特に、フィルタを振動させて塵を取除く除塵機構を有する電気掃除機に関するものである。
【背景技術】
【０００２】
電気掃除機内の電動送風機の吸込み側に設けられ、吸込風を濾過して塵を捕捉するフィルタが目詰まりを起こすと、風路抵抗が増えることに伴い含塵空気を吸込む力が低下して、掃除性能が低下する。
【０００３】
特に、サイクロン方式で塵の慣性力を利用した塵分離部を有する電気掃除機では、塵分離部の性能上、この分離部と電動送風機との間に配置されるフィルタに対する細塵の付着量が多く、それに基づき塵の慣性力を利用した塵分離作用の低下がもたらされる傾向にあることが解明されている。このため、この種の電気掃除機では、フィルタの目詰まりを早期に改善することが要請されており、フィルタの目詰まりを改善するために、従来、電源コード巻取り動作に連動した除塵装置を備えた電気掃除機が知られている（例えば、特許文献１参照）。
【先行技術文献】
【特許文献】
【０００４】
【特許文献１】特開２００６−３４０８２２号公報
【発明の概要】
【発明が解決しようとする課題】
【０００５】
しかしながら、電源コード巻取り動作に連動した除塵装置を備えた従来の電気掃除機の構成では、一般的に電源コード巻取りは、電気掃除機の使用前後各１回だけなので、フィルタに付着した塵埃を充分に除去できないといった課題があった。本発明は、上記従来の課題を解決し、除塵性能に優れた電気掃除機を提供することを目的とする。
【課題を解決するための手段】
【０００６】
前記従来の課題を解決するため本発明の電気掃除機は、塵埃を吸引するための電動送風機と、その吸込み側に配され吸込風を濾過して塵を捕捉するフィルタと、前記電動送風機の入力設定を行う設定手段と、その設定手段からの信号で前記電動送風機の入力を制御する制御手段と、前記電動送風機の入力を設定するための操作を行う操作手段と、その操作手段の動作を前記設定手段に伝達する操作伝達手段とを備え、前記フィルタと操作伝達手段を圧接気味に配置する構成としたもので、操作伝達手段の動作時、すなわち入力設定変更の都度、フィルタに振動を与えて除塵動作を行うことができる。
【発明の効果】
【０００７】
本発明の電気掃除機は、床面掃除は高入力で行うがそれ以外は、例えばカーテン掃除は低入力で行うなど、被清掃面の種類に合せて電気掃除機の入力を設定するために操作手段を操作する都度、フィルタの除塵動作を行うので、優れた除塵機能を発揮することができる。
【図面の簡単な説明】
【０００８】
【図１】（ａ）本発明の実施の形態１における電気掃除機の断面図、（ｂ）同電気掃除機の要部斜視図
【図２】同電気掃除機の回路ブロック図
【発明を実施するための形態】
【０００９】
第１の発明は、塵埃を吸引するための電動送風機と、その吸込み側に配され吸込風を濾過して塵を捕捉するフィルタと、前記電動送風機の入力設定を行う設定手段と、その設定手段からの信号で前記電動送風機の入力を制御する制御手段と、前記電動送風機の入力を設定するための操作を行う操作手段と、その操作手段の動作を前記設定手段に伝達する操作伝達手段とを備え、前記フィルタと操作伝達手段を圧接気味に配置する構成としたもので、操作伝達手段の動作時、すなわち入力設定変更の都度、フィルタに振動を与えて除塵動作を行うことができる。
【００１０】
第２の発明は、特に、第１の発明の設定手段として、摺動部を有する可変抵抗器を用い、操作伝達手段に設けたピン形状の一端を前記摺動部に連結することにより、操作手段の動きに連動して電動送風機の入力を設定するようにしたもので、操作手段の動きに連動して確実に電動送風機の入力を設定することができる。
【００１１】
第３の発明は、特に、第１または第２の発明の操作手段を、突起部と指で操作するツマミ部とで構成し、操作伝達手段は、複数の羽根を捩りその中央部に前記突起部を誘導するスピンドル形状としたもので、操作手段の動きを確実に設定手段に伝達できる。
【００１２】
第４の発明は、特に、第１〜３のいずれか一つの発明の操作伝達手段を、回転させた場合の断面が多角形となるように形成したもので、フィルタとの距離は一定ではなくなり、操作伝達手段の回転動作によって、フィルタに確実に振動を与えて除塵動作を行うことができる。
【００１３】
第５の発明は、特に、第４の発明の羽根の複数の箇所の山頂部をカットして、回転させた場合の断面が多角形となるように操作伝達手段を形成したもので、フィルタに振動を与えて除塵動作を行うことができると同時に、入力設定の位置固定とすることもできる。
【００１４】
以下、本発明の実施の形態について、図面を参照しながら説明する。なお、この実施の形態によりこの発明が限定されるものではない。
【００１５】
（実施の形態１）
図１（ａ）は、本発明の実施の形態１における電気掃除機の断面図、図１（ｂ）は、同電気掃除機の要部斜視図、図２は、同電気掃除機の回路ブロック図である。図１および図２において、本実施の形態における電気掃除機の掃除機本体１０は、塵埃を吸引するための電動送風機１と、その電動送風機１の吸込み側に設けられ、吸込風を濾過して塵を捕捉するフィルタを備えている。
【００１６】
３は、前記電動送風機１の入力設定を行う設定手段であり、本実施の形態では、可変抵抗器３Ａを用いている。４は、その設定手段３からの信号を入力して前記電動送風機１に設定入力を出力する制御手段、５は、前記電動送風機１の入力を設定するための操作を行う操作手段であり、突起部５Ａおよび指で（製品の）横方向に６０ｍｍスライド操作するツマミ部５Ｂとで構成されている。
【００１７】
６は、その操作手段５の動作を、前記設定手段３に伝達する操作伝達手段であり、その外周は、前記フィルタ２と圧接気味に配置されている。つまり操作伝達手段６はフィルタ２を常に押す状態に配置されている。そして、これら電動送風機１、フィルタ２、設定手段３、制御手段４、操作手段５および操作伝達手段６は、掃除機本体１０上に搭載または内蔵されている。
【００１８】
操作伝達手段６は、図のように、ピン形状とした一端６Ａを前記可変抵抗器３Ａの摺動部３Ｂに連結し、また複数の羽根６Ｂを捩りその中央部に前記操作手段５の突起部５Ａを誘導するスピンドル形状としており、ツマミ部５Ｂのスライド操作によって、羽根６Ｂが回転して可変抵抗器３Ａの抵抗値を変化させることができる。つまり、ツマミ部５Ｂを実線方向に移動した場合には、操作伝達手段６は実線方向に回転し、ツマミ部５Ｂを、点線方向に移動した場合には、操作伝達手段６は点線方向に回転する。
【００１９】
さらに、羽根６Ｂの厚さ方向外周部（図の斜線部Ａ）を数段階カットして、回転した場合の断面が多角形となるように形成しているので、操作伝達手段６の回転動作によって、フィルタ２との距離は増減を繰り返すため、操作伝達手段６と圧接気味に配置しているフィルタ２に対して繰り返して振動を与え続けることが可能になり、操作手段５によって除塵機能を行うことができる。
【００２０】
操作伝達手段６の角がフィルタ２と当接している状態では、摩擦力は大きいが、それを超えると摩擦力は急激に小さくなりその位置では、ツマミ部５Ｂも安定しているので、入力設定（ツマミ）の位置固定の役割をも兼ねている。そして、そのような角を複数箇所設けているので、多段階に入力を切り替えることができる。また、摩擦力の増減によってクリック感を持たせることもできる。
【００２１】
従来は、ブレーキレバーを操作しながら電源コードを何度か持ち替えて勢いよく腕を後方に大きく（数十ｃｍ）引くという人への負担が大きな動作であったが、本発明によれば操作手段５は製品の横方向への往復移動動作（数ｃｍ程度）であり、人への負担も極めて少ない。この入力設定変更動作は運転時のみならず、非運転時に行っても良い。
【００２２】
なお、上記実施の形態では、キャニスタ型の電気掃除機について説明したが、アプライト型の電気掃除機など他の形態の電気掃除機にも適用できることはいうまでもない。
【産業上の利用可能性】
【００２３】
以上のように本発明にかかる電気掃除機は、操作伝達手段の回転により、（１）可変抵抗器３Ａの摺動部の回転による入力設定と、（２）フィルタ２への振動伝達による除塵動作を同時に行うことができるもので、家庭用、業務用の各種電気掃除機に適用できる。
【符号の説明】
【００２４】
１  電動送風機
２  フィルタ
３  設定手段
３Ａ  可変抵抗器
４  制御手段
５  操作手段
５Ａ  突起部
５Ｂ  ツマミ部
６  操作伝達手段
１０  掃除機本体
【図１】
2012105844.tif 000003
【図２】
2012105844.tif 000004